(57)【特許請求の範囲】
【請求項１】
容器本体首部に取り付けられて内容物の注出口を形成する下蓋と、該下蓋後端部にヒンジを介して一体形成されて該注出口を開閉自在に閉塞する上蓋とを備え、該上蓋は該下蓋との双方に係合して介在されるリング部品の切断除去による開封で開放可能となるバージン機構付きヒンジキャップであって、
該下蓋の上面には、前記リング部品の一部を差し込む差込溝がヒンジに近接してその前方部位を横断するように形成されているとともに、該差込溝より前方の下蓋外周面上部には、該差込溝の両端に連なる第１段差部が凹設され、かつ該下蓋前端部の外周面には閉止状態の該上蓋の開閉端に指を掛け易く案内するための凹所が該第１段差部の下方より該第１段差部を抉るように形成されており、
該上蓋の外周面下部には、その閉止状態で下蓋の第１段差部に連なる第２段差部が凹設され、
該リング部品は、下蓋の差込溝に挿入される差込片部と、該下蓋及び上蓋の両段差部に跨って嵌着されて、該両段差部を覆う周回片部とを有し、該周回片部の内側面と該両段差部とには、それぞれ相互に係合し合う突起と係合孔とが対応されて形成され、
さらに該リング部品には、該凹所の両側端部を上方に延長する位置に沿って切断用の薄膜部が形成されて切断除去可能な切り裂き片とされている
ことを特徴とするバージン機構付きヒンジキャップ。
【請求項２】
前記切り裂き片には、前記凹所形成部位に向けて下方に延出形成された掴み片が一体形成されている
ことを特徴とする請求項１記載のバージン機構付きヒンジキャップ。
【発明の詳細な説明】
【０００１】
【発明の属する技術分野】
本発明は、容器本体の首部に取り付けられて内容物の取出し口を形成する下蓋と、この下蓋後端部にヒンジを介して一体形成されて、前記取出し口を開閉自在に閉塞する上蓋とを備え、下蓋に一体形成された切り裂き片を切断除去して開封することで上蓋が開放可能となるバージン機構付きヒンジキャップに関する。
【０００２】
【従来の技術】
従来より、使用開始までは完全に容器の密閉状態を維持して、その内容物の劣化や異物の混入などの悪戯を防止でき、使用開始以降には内容物に影響がないレベルの密閉状態を維持しつつ、その内容物の自由な取り出しを可能にした容器のキャップとして、バージン機構付きヒンジキャップが種々しられており、例えば実開平５−６８８６７号公報のものがある。
【０００３】
このバージン機構付きヒンジキャップは、容器本体の首部に嵌合可能に形成されて天井部に注出口が設けられている下蓋と、この下蓋にヒンジ部を介して連結されてこのヒンジ部と反対側の位置に指かけ部が突設されている上蓋と、前記指かけ部を覆う位置に立設されて下端部が前記下蓋の外周に点状接続部を介して連結されている封緘部材とからなり、前記上蓋の頂壁から垂下している栓体が前記下蓋の注出口に密封状態で嵌入するようになっている。
【０００４】
また、前記下蓋の外周面のうち、上蓋の指かけ部の真下に位置する部位には凹部が形成され、前記点状接続部はこの凹部の周壁に設けられて前記封緘部材の切除部として形成されると共に、この封緘部材の上端には上蓋の指かけ部を係止する止めが形成されている。
【０００５】
そして、このヒンジキャップを開栓する場合には、封緘部材の上端に指をかけて封緘部材を外方に倒し、点状接続部を切断して下蓋から分離させるようになっている。
【０００６】
【発明が解決しようとする課題】
しかしながら、上記従来のバージン機構付きヒンジキャップでは、上蓋の開閉端に突出形成した指かけ部を覆うようにして封緘部材を設け、未開封状態ではこの封緘部材の上端部に一体形成した止め部で上蓋の指かけ部を係止させるようになっており、たとえ指かけ部の真下に位置する部位に形成した下蓋の凹部の周壁に点状接続部を介して当該封緘部材を一体的に接合させるようになしてはいても、当該封緘部材は下蓋の外周面よりも外方に大きく飛び出してしまうことになる。
【０００７】
このため、このヒンジキャップにあっては、その未開封の状態では、封緘部材が上下の蓋の外周面からかなり大きく突出する形態を呈することになってしまい、外観をスッキリとしたデザインにまとめ難く、見栄えの向上が図り難いという問題があった。また、封緘部材を下蓋の凹部の周縁に点状接続部を介して一体的に接合させるため、成形型が複雑になってしまうことを否めず、よって製造コストの面でも低減化が図り難いという問題があった。
【０００８】
本発明は以上のような問題点を解決するためになされたものであり、その目的は、開封時に切断除去される切り裂き片（封緘部材）がキャップ外周面から殆ど突出することがなく、外観のデザインをスッキリとした見栄えのあるものにでき、しかも成形型の形状も簡素化できて製造コストの低減化も図れるバージン機構付きヒンジキャップを提供することにある。
【０００９】
【課題を解決するための手段】
かかる目的を達成するために本発明に係るバージン機構付きヒンジキャップは、容器本体首部に取り付けられて内容物の注出口を形成する下蓋と、該下蓋後端部にヒンジを介して一体形成されて該注出口を開閉自在に閉塞する上蓋とを備え、該上蓋は該下蓋との双方に係合して介在されるリング部品の切断除去による開封で開放可能となるバージン機構付きヒンジキャップであって、該下蓋の上面には、前記リング部品の一部を差し込む差込溝がヒンジに近接してその前方部位を横断するように形成されているとともに、該差込溝より前方の下蓋外周面上部には、該差込溝の両端に連なる第１段差部が凹設され、かつ該下蓋前端部の外周面には閉止状態の該上蓋の開閉端に指を掛け易く案内するための凹所が該第１段差部の下方より該第１段差部を抉るように形成されており、該上蓋の外周面下部には、その閉止状態で下蓋の第１段差部に連なる第２段差部が凹設され、該リング部品は、下蓋の差込溝に挿入される差込片部と、該下蓋及び上蓋の両段差部に跨って嵌着されて、該両段差部を覆う周回片部とを有し、該周回片部の内側面と該両段差部とには、それぞれ相互に係合し合う突起と係合孔とが対応されて形成され、さらに該リング部品には、該凹所の両側端部を上方に延長する位置に沿って切断用の薄膜部が形成されて切断除去可能な切り裂き片とされていることを特徴とする。
【００１０】
また、前記切り裂き片には、前記凹所形成部位に向けて下方に延出形成された掴み片を一体形成するのが望ましい。
【００１１】
上記構成によれば、リング部品の周回片部は下蓋の第１段差部と上蓋の第２段差部とで形成される装着溝内に収容され、差込片部が収納された下蓋の差込溝はその上方が上蓋によって閉塞される。また、リング部品は下蓋と上蓋とに対して各々突起と係合孔とにより係合する。このため、上蓋と下蓋とがこれらに跨るリング部品の周回片部を介して相互に係合して拘束されることになり、上蓋は開放できなくなる。しかも、上蓋が開放不能となるからリング部品の取り外しも不可能になり、ヒンジキャップは確実に閉塞状態に維持されることになる。よってこの状態のヒンジキャップが首部に取り付けられた容器は上蓋が開放不可能な未開封状態となり、上蓋はリング部品を切断除去して開封しない限り開放することはできない。
【００１２】
また、この未開封状態ではリング部品は、下蓋の第１段差部と上蓋の第２段差部とで形成される装着溝内に収納されており、よって上・下蓋の外周面から外方には殆ど突出せず、すっきりとしたデザインのものになる。
【００１３】
リング部品の周回片部における前端部分の切り裂き片を、その両側部にある薄膜部に沿って切断分離除去して開封すれば、リング部品を切断部分で押し開くことにより突起と係合孔との係合を解き得、かつ上蓋の指掛け部となる開閉端の下縁が下蓋の凹所に臨んで露出する。従って、下蓋の凹所に指を入れると上蓋開閉端の下縁の指掛け部に指が掛かり、上蓋を上方に引き上げることで当該上蓋を容易に大きく開放させることができる。そして、上蓋を開放させればリング部品は簡単に上方に引き抜いて撤去でき、以後は上蓋の開閉が自由に行えるようになる。
【００１４】
また、切り裂き片の有無で容易に開封・未開封の確認が可能であるから、切り裂き片が切断除去されているか否かというキャップの外観上の変化を一見するだけで容器の開封・未開封の状態を容易に確認することができるとともに、切り裂き片を手で触れることでも確認でき、このため目の不自由な人や、暗い場所の作業者でも容易に確認することができる。
【００１５】
さらに、上蓋の指掛け部は、下蓋に凹設された凹所によってその開閉端の下縁が露出されることによって形成されるから、開封後は上蓋及び下蓋の外周面から外方には何も突出せず、よって開封後の使用状態では、より一層すっきりとしたデザインとなって見栄えが向上する。
【００１６】
また、下蓋の凹所形成部位に向けて下方に延びる掴み片を切り裂き片に一体形成すれば、開封時の切断が容易に行える。
【００１７】
またさらに、点状接続部がないのでその分、成形型を簡素化できて製造コストの低減化も図れる。
【００１８】
【発明の実施の形態】
以下、本発明の好ましい実施の形態につき、添付図面を参照して詳細に説明する。図１は本発明のバージン機構付きヒンジキャップの一実施形態を示すもので上蓋開放状態の分解斜視図、図２はその上蓋開放状態の上面図、図３は図２中のIII−III線矢視断面図、図４上蓋閉止状態の正面図、図５は図４中のＶ−Ｖ線矢視断面図、図６は図５中のVI−VI線矢視断面図、図７はそのバージン機構付きヒンジキャップが開封される過程の断面図、図８は開封完了状態の断面図を示す。
【００１９】
この実施形態のバージン機構付きヒンジキャップ１０は樹脂成形されており、容器本体（図示せず）の首部に取り付けられる下蓋１２と、この下蓋１２の後端部にヒンジ１４を介して開閉自在に一体形成された上蓋１６、及びこれら下蓋１２と上蓋１４とのそれぞれに係合して上蓋１６を閉止状態に保持するリング部品１８とからなる。
【００２０】
下蓋１２は天井部２０を有する有蓋円筒体状をなし、その天井部２０の中央には容器本体内の内容物を取り出すための注出口２１が設けられている。また、円筒体部２２の内周面には、容器本体の首部に形成された雄ねじ部に螺合する雌ねじ部２４が形成されている。
【００２１】
そして、極薄肉で折れ曲がり自在なヒンジ１４を介して上記下蓋１２と一体形成されている上蓋１６は、円形の蓋体２６の外周縁に円環状のリブ２８が突出している皿状をなし、このリブ２８の下面は閉止状態で下蓋１２の天井部２０上面に当接する。また蓋体２６の中央には同じくその閉止状態で下蓋１２の注出口２１に嵌入してこれを密封する棒状の栓体３０が一体的に突出形成されている。
【００２２】
ところで、前記下蓋１６の上面には、前記リング部品１８の一部を差し込む差込溝３２がヒンジ１４に近接してその前方部位を真っ直ぐに横断するように形成されているとともに、この差込溝３２より前方の下蓋１２外周面上部には、当該差込溝３２の両端に連なる第１段差部３４が周回するように凹設され、これら差込溝３２と第１段差部３４との下端は同一レベルに形成されている。また、当該下蓋１２前端部の外周面には、閉止状態の上蓋１６の開閉端３５の直下に、当該開閉端３５に指を掛け易く案内するための凹所３６が、その第１段差部３４の下方から当該第１段差部３４を抉るようにして上端部まで形成されている。
【００２３】
一方、上蓋１６には、その閉止状態の外周面下部に、前記下蓋１２の第１段差部３４の上方に連なって当該外周面下部を周回する第２段差部３８が、その高さ寸法を第１段差部３４とほぼ同じにして凹設されており、これら第１・第２段差部３４，３８は上蓋１６の閉止状態でリング部品１８の装着溝４０を形成し、この装着溝４０と差込溝３２とは環状に繋がる。なお、上蓋１６の第２段差部３８はその周回方向の両側端部３９が、閉止状態で上方が前方に傾斜する傾斜面に形成されている。
【００２４】
リング部品１８は、前記下蓋１２の差込溝３２に挿入される差込片部４２と、この差込片部４２の両側端に連なって形成され、下蓋１２及び上蓋１６の両段差部３４，３８に跨って装着溝４０に嵌着され、これら両段差部３４，３８を覆う周回片部４４とを有する環状をなす。前記差込片部４２はその高さが下蓋１２の差込溝３２の深さに相応されて、当該深さよりも若干小さく形成されており、差込溝３２内に埋没するようになっている。また、周回片部４４と差込片部４２とは下端部が同一面に形成されるとともに、周回片部４４はその高さが差込片部４２の高さの約２倍程に形成されて上方に突出している。そして、その突出する両側端部４５は上方が前方に傾斜する傾斜面に形成されて、上蓋１６の閉止時に第２段差部３８の両側端部３９の傾斜面と対面するようになっており、上蓋１６の開閉時にリング部品１８と上蓋１６とが干渉しないようにしてある。
【００２５】
また、周回片部４４の内側面と両段差部３４，３８の外周面とには、それぞれ相互に係合し合う突起４６と係合孔５４とが対応形成されていて、図示例ではリング部品１８の周回片部４４には、上下２段で周方向の４カ所に計８個の突起４６が設けられていて、その上段の突起４６は上蓋１６の段差部３８に形成された係合孔５４に嵌入係合し、下段の突起４６は下蓋１２の段差部３４に形成された係合孔５４に嵌入係合するようになっている。
【００２６】
さらに、リング部品１８の周回片部４４には、前記下蓋１２の凹所３６の両側端部を上方に延長する延長線の位置に沿って切断用の薄膜部４８が一対で形成されており、この両薄膜部４８間の周回片部４４が部分的に切断除去可能な切り裂き片５０とされている。また、この切り裂き片５０には周回片部４４の下縁から下方に延びて下蓋１２の凹所３６形成部位に臨み、当該凹所３６を覆い隠すとともに、当該切り裂き片５０を切断する際に、これを指で掴んでその切断を容易となすための掴み片５２が若干前方に飛び出して一体的に垂下形成されている。
【００２７】
以上のような本実施形態のヒンジキャップ１０では、上記リング部品１８は、上蓋１６を大きく開いた状態で、その差込片部４２を下蓋１２の差込溝３２内に挿入するとともに、周回片部４４を第１段差部３４の外周部に嵌め込み、下段の突起４６を第１段差部３４の係合孔５４に嵌入係合させて装着する。そして、このリング部品１８の装着状態で上蓋１６を閉じると、栓体３０が注出口２１に嵌入して閉塞するとともに、リング部品１８における周回片部４４の上方への突出部分が上蓋１６のリブ２８外周面に形成した第２段差部３８に嵌り込んで、上段の突起４６が第２段差部３８の外周面に形成した係合孔５４に嵌入係合する。そして、リング部品１８の周回片部４４は第１・第２段差部３４，３８とで形成される装着溝４０内に収容される。また、差込片部４２が収納された下蓋１２の差込溝３２はその上方が上蓋１６によって閉塞される。
【００２８】
このため上蓋１６と下蓋１２とがこれらに跨るリング部品１８の周回片部４４を介して相互に係合して拘束され、上蓋１６は開放できなくなる。しかも、リング部品１８の取り外しも不可能になり、キャップ１０は確実に閉塞状態に維持されることになり、この状態で容器本体の首部に螺着される。つまり、容器は上蓋１６が開放不可能な未開封状態となる。
【００２９】
そして、この未開封状態ではリング部品１８の差込片部４２は下蓋１２の差込溝３２内に収まり、かつ周回片部４４は下蓋１２の第１段差部３４と上蓋１６の第２段差部３８とが形成する装着溝４０内に収まっているから、径方向外方には掴み片５２部分がほんの若干突出するだけの、見た目に極めてすっきりとしたデザイン性の良いものとすることができる。
【００３０】
一方、このヒンジキャップ１０を使用した容器を開封させるには、リング部品１８の前端に垂下形成した掴み片５２を掴んでこれを上方に引き上げ、これによりこのリング部品１８の周回片部４４における前端部分の切り裂き片５０を、その両側部にある薄膜部４８に沿って切断分離除去して開封する。
【００３１】
開封すれば、リング部材１８を切断部分で押し開くことにより突起４６と係合孔５４との係合を解き得、かつ上蓋１６の指掛け部となる開閉端３５の下縁が下蓋１２の凹所３６に臨んで露出する。従って、下蓋１２の凹所３６に指を入れると上蓋１６開閉端３５の下縁の指掛け部に指が掛かり、上蓋１６を上方に引き上げることで当該上蓋１６を大きく開放させることができる。そして、上蓋１６を開放させればリング部品１８は容易に上方に引き抜いて撤去でき、以後は上蓋１６の開閉が自由に行えるようになる。
【００３２】
また、切り裂き片５０が切断除去されているか否かというキャップの外観上の変化を一見することで、容器の開封・未開封の状態を容易に確認することができる。また、不透明であったり着色されて内部が見えない容器であっても、切り裂き片５０の有無で容易に開封・未開封の確認が可能となる。更に、切り裂き片５０を手で触れることでも確認できるため、目の不自由な人や、暗い場所の作業者でも容易に確認することができる。
【００３３】
さらに、上蓋１６の指掛け部は、下蓋１２に凹設された凹所３６によってその開閉端３５の下縁が露出されることによって形成されるから、開封後は上蓋１６及び下蓋１２の外周面から外方には何も突出せず、よって開封後の使用状態では、より一層すっきりとしたデザインとなって見栄えが向上する。
【００３４】
またさらに、点状接続部がないのでその分、成形型を簡素化できて製造コストの低減化も図れる。
【００３５】
【発明の効果】
以上説明したように、本発明に係るバージン機構付きヒンジキャップによれば、リング部品の周回片部は下蓋の第１段差部と上蓋の第２段差部とで形成される装着溝内に収容されるとともに、差込片部を収納する下蓋の差込溝はその上方が上蓋によって閉塞され、かつリング部品は下蓋と上蓋とに対してそれぞれに突起と係合孔とにより係合して、これら上蓋と下蓋とを拘束するから、上蓋が開放不能になるとともにリング部品の取り外しも不可能になり、ヒンジキャップを閉塞状態に確実に維持して、この状態のヒンジキャップが取り付けられる容器を上蓋が開放不可能な未開封状態となすことができ、リング部品を切断除去して開封しない限り上蓋を開放し得なくすることができる。
【００３６】
そして、この未開封状態ではリング部品は、下蓋の第１段差部と上蓋の第２段差部とで形成される溝部内に収納されており、よって上・下蓋の外周面から外方には殆ど突出せず、よってバージン機構付きヒンジキャップをすっきりとしたデザインのものにすることができる。
【００３７】
また、開封するにあたっては、リング部品前端部分の切り裂き片を、その両側部にある薄膜部に沿って容易に切断分離除去して開封することができ、この開封により、リング部材を切断部分から押し開いてリング部材による上蓋と下蓋との拘束を解くことができる。
【００３８】
さらに、切り裂き片を切断除去すれば、上蓋の指掛け部となる開閉端の下縁が下蓋の凹所に臨んで露出するから、当該凹所に指を入れて上蓋開閉端下縁の指掛け部に指を掛けて、この上蓋を容易に大きく開放させることができ、上蓋を開放させれば、リング部品を簡単に上方に引き抜いて撤去して、以後は上蓋の開閉が自由に行えるようになる。
【００３９】
また、切り裂き片の有無で容易に開封・未開封の確認が可能であるから、切り裂き片が切断除去されているか否かというキャップの外観上の変化を一見するだけで容器の開封・未開封の状態を容易に確認することができるとともに、切り裂き片を手で触れることでも確認でき、このため目の不自由な人や、暗い場所の作業者でも容易に確認することができる。
【００４０】
加えて、上蓋の指掛け部は、下蓋に凹設された凹所によってその開閉端の下縁が露出されることによって形成されるから、開封後は上蓋及び下蓋の外周面から外方には何も突出せず、よって開封後の使用状態では、より一層すっきりとしたデザインとなって見栄えが向上する。
【００４１】
また、下蓋の凹所形成部位に向けて下方に延びる掴み片を切り裂き片に一体形成すれば、開封時の切断が容易に行える。
【００４２】
またさらに、点状接続部がないのでその分成形型を簡素化でき、製造コストの低減化も図れる。
【図面の簡単な説明】
【図１】本発明のバージン機構付きヒンジキャップの一実施形態を示すもので、上蓋開放状態の分解斜視図である。
【図２】その上蓋開放状態の上面図である。
【図３】上記図２中のIII−III線矢視断面図である。
【図４】上蓋閉止状態の正面図である。
【図５】上記図４中のＶ−Ｖ線矢視断面図である。
【図６】上記図５中のVI−VI線矢視断面図である。
【図７】バージン機構付きヒンジキャップが開封される過程を示す断面図である。
【図８】同上開封完了状態を示す断面図である。
【符号の説明】
１０  バージン機構付きヒンジキャップ
１２  下蓋
１４  ヒンジ
１６  上蓋
１８  リング部品
２０  天井部
２１  注出口
２６  蓋部
２８  リブ
３２  差込溝
３４  第１段差部
３５  開閉端
３６  凹所
３８  第２段差部
４２  差込片部
４４  周回片部
４６  突起
４８  薄膜部
５０  切り裂き片
５２  掴み片
５４  係合孔
【図１】
0004425425.tif 000002
【図２】
0004425425.tif 000003
【図３】
0004425425.tif 000004
【図４】
0004425425.tif 000005
【図５】
0004425425.tif 000006
【図６】
0004425425.tif 000007
【図７】
0004425425.tif 000008
【図８】
0004425425.tif 000009